(57)【要約】【課題】フリーストッパ領域の調整を容易に行うことのできる画像形成装置の原稿押え装置。【解決手段】画像形成装置本体１の上面に載置される原稿Ｐを押えるための原稿押え装置４が、画像形成装置本体１に対して回動軸心Ｌ周りに回動自在に取り付けられ、かつ、画像形成装置本体１との間に介在された弾性手段７により回動軸心Ｌ周りに上方へ弾性付勢されて、回動軸心Ｌを中心としてフリーストッパ領域を有する状態で上下方向へ回動停止操作自在に構成されている画像形成装置の原稿押え装置であって、原稿押え装置４の重心が、少なくとも回動軸心Ｌに直交する方向へ位置変更固定自在に構成されている。【選択図】図２
2008164953.tif 000002
【特許請求の範囲】
【請求項１】
画像形成装置本体の上面に載置される原稿を押えるための原稿押え装置が、前記画像形成装置本体に対して回動軸心周りに回動自在に取り付けられ、かつ、前記画像形成装置本体との間に介在された弾性手段により前記回動軸心周りに上方へ弾性付勢されて、前記回動軸心を中心としてフリーストッパ領域を有する状態で上下方向へ回動停止操作自在に構成されている画像形成装置の原稿押え装置であって、
前記原稿押え装置の重心が、少なくとも前記回動軸心に直交する方向へ位置変更固定自在に構成されている画像形成装置の原稿押え装置。
【請求項２】
前記原稿押え装置に重心位置変更用の重りが設けられ、その重心位置変更用の重りが、前記原稿押え装置に対して少なくとも前記回動軸心に直交する方向へ位置変更固定自在に取り付けられている請求項１に記載の画像形成装置の原稿押え装置。
【請求項３】
前記原稿押え装置に原稿押え板が設けられ、その原稿押え板が、前記原稿押え装置に対して少なくとも前記回動軸心に直交する方向へ位置変更固定自在に取り付けられている請求項１に記載の画像形成装置の原稿押え装置。
【発明の詳細な説明】
【技術分野】
【０００１】
本発明は、画像形成装置本体の上面に載置される原稿を押えるための原稿押え装置が、前記画像形成装置本体に対して回動軸心周りに回動自在に取り付けられ、かつ、前記画像形成装置本体との間に介在された弾性手段により前記回動軸心周りに上方へ弾性付勢されて、前記回動軸心を中心としてフリーストッパ領域を有する状態で上下方向へ回動停止操作自在に構成されている画像形成装置の原稿押え装置に関する。
【背景技術】
【０００２】
このような原稿押え装置において、そのフリーストッパ領域、つまり、原稿押え装置を任意の回動位置で自由に停止させることが可能な領域は、画像形成装置本体上面への原稿の載置の容易性や使い勝手などを考慮して適切に設定されるべきであり、そのフリーストッパ領域の決定は、原稿押え装置と画像形成装置本体との間に介在される弾性手段、例えば、コイルスプリングの弾性力に負うところが大である。
しかしながら、コイルスプリング自体の製作誤差やコイルスプリングの取り付け誤差などに起因して、フリーストッパ領域にばらつきが生じ、必ずしも初期設定どおりになるとは限らない。
そこで、従来では、コイルスプリングの取り付け位置などを変更し、それによりコイルスプリングの弾性力を微妙に調整し、フリーストッパ領域が初期設定範囲内になるように調整していたのが実情である。
【発明の開示】
【発明が解決しようとする課題】
【０００３】
しかし、コイルスプリングなどの弾性手段は、通常、ヒンジ機構などに内装されているため、弾性手段の取り付け位置の調整が困難であるばかりか、微妙な調整を必要とするため、フリーストッパ領域の調整に困難性を伴うという問題があった。
また、経年に伴って弾性手段の弾性力が低下した場合も同様で、この点に改良の余地があった。
【０００４】
本発明は、このような従来の問題点に着目したもので、その目的は、フリーストッパ領域の調整を容易に行うことのできる画像形成装置の原稿押え装置を提供することにある。
【課題を解決するための手段】
【０００５】
本発明の第１の特徴構成は、画像形成装置本体の上面に載置される原稿を押えるための原稿押え装置が、前記画像形成装置本体に対して回動軸心周りに回動自在に取り付けられ、かつ、前記画像形成装置本体との間に介在された弾性手段により前記回動軸心周りに上方へ弾性付勢されて、前記回動軸心を中心としてフリーストッパ領域を有する状態で上下方向へ回動停止操作自在に構成されている画像形成装置の原稿押え装置であって、前記原稿押え装置の重心が、少なくとも前記回動軸心に直交する方向へ位置変更固定自在に構成されているところにある。
【０００６】
本発明の第１の特徴構成よれば、原稿押え装置の重心が、少なくともその回動軸心に直交する方向へ位置変更固定自在に構成されているので、原稿押え装置のフリーストッパ領域が初期設定どおりにならない場合や、経年に伴う弾性手段の弾性力の低下でフリーストッパ領域が変化したような場合には、原稿押え装置の重心を原稿押え装置の回動軸心に直交する方向へ位置変更して固定するだけで、フリーストッパ領域を所望どおりに設定することができる。
したがって、従来のように、ヒンジ機構などに内装された弾性手段の取り付け位置などを変更調整する必要がなく、従来困難とされていたフリーストッパ領域の調整を容易、確実に行うことができる。
【０００７】
本発明の第２の特徴構成は、前記原稿押え装置に重心位置変更用の重りが設けられ、その重心位置変更用の重りが、前記原稿押え装置に対して少なくとも前記回動軸心に直交する方向へ位置変更固定自在に取り付けられているところにある。
【０００８】
本発明の第２の特徴構成によれば、原稿押え装置に重心位置変更用の重りが設けられ、その重心位置変更用の重りが、原稿押え装置に対して少なくとも前記回動軸心に直交する方向へ位置変更固定自在に取り付けられているので、例えば、重心位置変更専用の重りを使用することによって、その重りを位置変更固定し易い箇所に配設することも可能となり、フリーストッパ領域の調整をより一層容易に行うことができる。
【０００９】
本発明の第３の特徴構成は、前記原稿押え装置に原稿押え板が設けられ、その原稿押え板が、前記原稿押え装置に対して少なくとも前記回動軸心に直交する方向へ位置変更固定自在に取り付けられているところにある。
【００１０】
本発明の第３の特徴構成によれば、原稿押え装置に原稿押え板が設けられ、その原稿押え板が、原稿押え装置に対して少なくとも前記回動軸心に直交する方向へ位置変更固定自在に取り付けられているので、特別な重りなどを使用することなく、原稿押え装置に設けられる原稿押え板をそのまま使用して、その位置を変更固定することによりフリーストッパ領域の調整を簡単に行うことができる。
【発明を実施するための最良の形態】
【００１１】
本発明による画像形成装置の原稿押え装置につき、その実施の形態を図面に基づいて説明する。
本発明に係る画像形成装置としては、複写機や印刷機などがあり、複写機を例示して説明すると、図１および図２に示すように、画像形成装置本体としての複写機本体１を備え、複写機本体１には、画像読み取り装置や読み取った画像を転写紙に定着させるための各種の機器類が収納配置されている。
複写機本体１の上面には、自動読み取り部２やプラテンガラス３が配設され、複写機本体１の上部には、自動原稿搬送装置４が配置されている。自動原稿搬送装置４は、プラテンガラス３上に載置される原稿Ｐを押えるための原稿押え装置として機能するもので、その自動原稿搬送装置４には、自動原稿送り機構が内装され、その下面には原稿押え板５が配設されている。
【００１２】
自動原稿搬送装置４は、左右一対のヒンジ機構６を介して複写機本体１に回動自在に取り付けられ、ヒンジ機構６の回動軸心Ｌ周りに回動操作自在に構成されている。
各ヒンジ機構６には、弾性手段としてのコイルスプリング７などが内装され、そのコイルスプリング７などが、自動原稿搬送装置４と複写機本体１との間に介在されて、自動原稿搬送装置４をヒンジ機構６の回動軸心Ｌ周りに上方へ弾性付勢するように構成されている。
このようにして、自動原稿搬送装置４は、図３に示すように、回動軸心Ｌを中心としてフリーストッパ領域Ａと自重落下領域Ｂを有する状態で上下方向へ回動停止操作自在に構成されている。つまり、フリーストッパ領域Ａ内においては、自動原稿搬送装置４を任意の回動位置で自由に停止させることができ、自重落下領域Ｂにおいては、自動原稿搬送装置４が、自重によって下方へ回動してプラテンガラス３を覆うように構成されている。
【００１３】
すなわち、この複写機においては、図１に示すように、自動原稿搬送装置４を下方へ回動してプラテンガラス３を覆った状態で、自動原稿搬送装置４に原稿Ｐをセットすることにより、自動原稿送り機構により原稿Ｐを自動読み取り部２へ順次搬送し、自動読み取り部２において原稿Ｐに光を当てて画像を読み取って複写する自動複写と、図２に示すように、プラテンガラス３上に原稿Ｐを載置して自動原稿搬送装置４の原稿押え板５により押えた状態で、原稿１に光を当てて画像を読み取って複写する手動複写との２種類の複写方式を選択使用することが可能となる。
いずれの場合においても、自動原稿搬送装置４は、フリーストッパ領域Ａ内においては任意の回動位置で自由に停止させることができ、自重落下領域Ｂにおいては自重により下方へ回動してプラテンガラス３を覆うことになる。
【００１４】
この自動原稿搬送装置４のフリーストッパ領域Ａと自重落下領域Ｂの決定は、各ヒンジ機構６に内装されたコイルスプリング７などの弾性力に負うところが大であるが、コイルスプリング７自体の製作誤差やコイルスプリング７の取り付け誤差などに起因して、フリーストッパ領域Ａと自重落下領域Ｂは、必ずしも初期設定どおりになるとは限らない。
そこで、この複写機においては、図２および図３に示すように、自動原稿搬送装置４の重心位置を変更するための重心位置変更用の重り８が設けられ、その重心位置変更用の重り８が、自動原稿搬送装置４に対してその回動軸心Ｌに直交する方向（図中の矢印方向）へ位置変更固定自在に取り付けられている。
例えば、重心位置変更用の重り８が、自動原稿搬送装置４の下面に設けられたスリットに沿って位置変更自在に構成され、かつ、図外のボルトやビスなどの固定具によって所望の位置に固定できるように構成されている。ただし、重心位置変更用の重り８の位置を変更固定のための具体的構成は不問であり、例えば、マジックテープ（商品名）や両面テープなどを使用することもできる。
【００１５】
〔発明の効果〕
したがって、本発明によれば、自動原稿搬送装置４のフリーストッパ領域Ａと自重落下領域Ｂが初期設定どおりにならなくとも、重心位置変更用の重り８を自動原稿搬送装置４の回動軸心Ｌに直交する方向へ位置変更して固定するだけで、フリーストッパ領域Ａと自重落下領域Ｂを所望どおりに設定することができ、ヒンジ機構６に内装のコイルスプリング７などの取り付け位置を設定し直す必要はない。
また、経年に伴って各コイルスプリング７などの弾性力が低下し、フリーストッパ領域Ａと自重落下領域Ｂが変化した場合にも、重心位置変更用の重り８の位置を変更して固定するだけで対応可能となる。
【００１６】
〔別実施形態〕
（１）先の実施形態では、重心位置変更用の重り８を使用して、自動原稿搬送装置４の重心位置を変更固定する構成を示したが、重心位置変更用の重り８を使用せずに実施することもでき、その例を示したのが図４である。
この図４に示す別の実施形態では、自動原稿搬送装置４に設けられた原稿押え板５が、自動原稿搬送装置４に対してその回動軸心Ｌに直交する方向（図中の矢印方向）へ位置変更自在に構成され、ビスなどの固定具やマジックテープ（商品名）などによって所望の位置に固定できるように構成されている。
この場合にも、コイルスプリング７などの取り付け位置を設定し直す必要はなく、原稿押え板５を自動原稿搬送装置４の回動軸心Ｌに直交する方向へ位置変更して固定するだけで、フリーストッパ領域Ａと自重落下領域Ｂを所望どおりに設定することが可能となる。
【００１７】
（２）先の実施形態では、重心位置変更用の重り８を、また、別の実施形態では、原稿押え板５を自動原稿搬送装置４の回動軸心Ｌに直交する方向へ位置変更固定自在に構成した例を示したが、これら重心位置変更用の重り８や原稿押え板５は、必ずしも自動原稿搬送装置４の回動軸心Ｌに直交する方向へのみ位置変更固定自在に構成する必要はない。
例えば、重心位置変更用の重り８や原稿押え板５を自動原稿搬送装置４の回動軸心Ｌに対して斜め方向へ位置変更固定自在に構成することもできる。
要するに、重心位置変更用の重り８や原稿押え板５は、少なくとも自動原稿搬送装置４の回動軸心Ｌに直交する方向へ位置変更固定自在に構成すればよい。
また、これまでの実施形態では、原稿押え装置の一例として自動原稿送り機構を内装した自動原稿搬送装置４を示したが、自動原稿送り機構を備えていない通常の原稿押え装置に対しても適用可能である。
【図面の簡単な説明】
【００１８】
【図１】自動原稿搬送装置を閉じた状態の複写機の要部を示す斜視図
【図２】自動原稿搬送装置を開いた状態の複写機の要部を示す斜視図
【図３】自動原稿搬送装置を開いた状態の複写機の要部を示す側面図
【図４】自動原稿搬送装置を開いた状態の別実施形態による複写機の要部を示す斜視図
【符号の説明】
【００１９】
１      画像形成装置本体
４      原稿押え装置
５      原稿押え板
７      弾性手段
８      重心位置変更用の重り
Ａ      フリーストッパ領域
Ｌ      回動軸心
Ｐ      原稿
【図１】
2008164953.tif 000003
【図２】
2008164953.tif 000004
【図３】
2008164953.tif 000005
【図４】
2008164953.tif 000006